(57)【要約】脚（１２）、少なくとも１つの能動モジュール（１５）ならびに受動モジュール（１４）を有する装置（１０）を有し、各モジュール（１４、１５）にはベビーベッド（１１）の脚（１２）を受ける差し込み口が取付けられるバネがあると同時に、能動モジュール（１５）にはベビーベッド（１１）に運動を伝達する動力手段があるベビーベッド（１１）のような幼児囲いの運動あるいは揺動装置（１０）。【選択図】図１
2007527751.tif 000002
【特許請求の範囲】
【請求項１】
少なくともひとつの支持手段に囲いに運動を伝達するための運動伝達手段が含まれるか、あるいはこれと連結される各脚と連結される複数の支持手段、ならびに前記運動伝達手段の選択的作動手段が含まれる囲いが基盤面上に普通に支持される脚付きタイプ幼児囲い運動、あるいは揺動装置。
【請求項２】
囲いに伝達される前記運動が、振動あるいは往復運動であることを特徴とする請求項１に記載の装置。
【請求項３】
前記振動あるいは往復運動にほぼ鉛直な運動が含まれることを特徴とする請求項２に記載の装置。
【請求項４】
前記振動あるいは往復運動に一定運動、あるいは変動運動が含まれることを特徴とする請求項３に記載の装置。
【請求項５】
１つ以上の前記支持手段に能動支持手段が含まれるとともに、運動伝達手段が含まれるか、あるいは運動伝達手段と連結されることを特徴とする請求項１から請求項４までのいずれかの請求項に記載の装置。
【請求項６】
その他残りの前記支持手段に受動支持手段が含まれるとともに、囲いに運動継続促進手段が含まれることを特徴とする請求項５に記載の装置。
【請求項７】
囲いの前記運動継続促進手段に弾力性、あるいは伸縮自在性手段が含まれることを特徴とする請求項６に記載の装置。
【請求項８】
前記弾力性手段にバネが含まれることを特徴とする請求項７に記載の装置。
【請求項９】
前記運動伝達手段に作動装置が含まれることを特徴とする請求項１から請求項８までのいずれかの請求項に記載の装置。
【請求項１０】
前記作動装置に振動作動装置が含まれることを特徴とする請求項９に記載の装置。
【請求項１１】
前記作動装置に、作動時に少なくとも１つの支持手段が連結される囲いの脚に鉛直、あるいはほぼ鉛直の往復運動、あるいは振動運動を伝達する部材が含まれることを特徴とする請求項９あるいは請求項１０に記載の装置。
【請求項１２】
前記作動装置に往復運動、あるいは振動運動かを選択できる作動装置部材が含まれることを特徴とする請求項９から請求項１１までのいずれかの請求項に記載の装置。
【請求項１３】
前記作動装置部材が、使用時に少なくとも１つの支持手段と連結した囲い脚に少なくとも１回の鉛直往復運動、あるいは振動運動を誘発するようにほぼ鉛直方向に向けられることを特徴とする請求項１２に記載の装置。
【請求項１４】
前記作動装置にソレノイド作動装置が含まれると同時に前記作動部材に作動装置、あるいは電機子、あるいは作動装置の電機子延長部からなるソレノイドコイルが含まれることを特徴とする請求項１２あるいは請求項１３に記載の装置。
【請求項１５】
前記作動装置に回転可能な作動器部材が含まれることを特徴とする請求項９から請求項１１までのいずれかの請求項に記載の装置。
【請求項１６】
前記支持手段に囲いの各脚を支持する支持モジュールが含まれることを特徴とする請求項６に記載の装置。
【請求項１７】
前記支持モジュールに囲いの脚を受けるための受け口、あるいは受け台が含まれることを特徴とする請求項１６に記載の装置。
【請求項１８】
前記受け口、あるいは受け台が弾性運動向けの弾性手段によって支持されることを特徴とする請求項１７に記載の装置。
【請求項１９】
前記弾性手段に圧縮バネが含まれることを特徴とする請求項１８に記載の装置。
【請求項２０】
前記支持モジュールに前記バネを収納する筺体が含まれることを特徴とする請求項１９に記載の装置。
【請求項２１】
少なくとも１つの支持モジュールに能動支持モジュールが含まれると同時に、前記運動支持手段に特定、あるいはそれぞれの前記能動支持モジュールの前記受け口、あるいは受け台にのる作動装置が含まれることを特徴とする請求項１７から請求項２０までのいずれかの請求項に記載の装置。
【請求項２２】
前記作動装置にソレノイド作動装置が含まれるとともに、該作動装置の部材が受け口に接合されることを特徴とする請求項２１に記載の装置。
【請求項２３】
ソレノイド作動装置の運動による作動時に、対応する受け台の運動が起動されるよう前記部材が直接受け台に接合されることを特徴とする請求項２２に記載の装置。
【請求項２４】
前記ソレノイド作動装置が受け口によって支持されることを特徴とする請求項２２に記載の装置。
【請求項２５】
前記ソレノイド部材に電機子とコイルが含まれることを特徴とする請求項２４に記載の装置。
【請求項２６】
ソレノイドの電機子が受け台に固定して接合されると同時に、ほぼ鉛直に向けられて前記コイルに加えられる電流により前記コイルが電機子にそってほぼ鉛直に運動することを特徴とする請求項２５に記載の装置。
【請求項２７】
前記コイルが押下げられることを特徴とする請求項２６に記載の装置。
【請求項２８】
請求項２６あるいは請求項２７に記載されると同時に、コイルの衝撃緩和効果用のバネが含まれることを特徴とする装置。
【請求項２９】
前記能動モジュールにソレノイドの電流供給を制御する制御手段が含まれることを特徴とする請求項２１から請求項２８までのいずれかの請求項に記載の装置。
【請求項３０】
請求項２９に記載されると同時に、能動モジュールの遠隔制御のために前記制御手段に連結される遠隔制御装置が含まれることを特徴とする装置。
【発明の詳細な説明】
【技術分野】
【０００１】
本発明はベビーベッド、乳母車あるいはベビーカーのような幼児囲いの運動あるいは揺動装置、特にその中の赤子あるいは幼児の睡眠が促進される目的でその運動の影響を受ける赤子あるいは幼児ベッド、乳母車あるいはベビーカーとの一体の使用であるか、またはこれと連結使用される装置の様態に関する。
【背景技術】
【０００２】
赤子あるいは幼児に揺動あるいはその他の類似運動を受けさせるのは赤子あるいは幼児に眠気を催させるために望まれる場合が通常である。また乗物の運動が特に赤子あるいは幼児の睡眠を促すのに効果があることも知られている。赤子あるいは幼児が乳母車あるいはベビーカーに置かれている場合、幼児あるいは赤子の面倒を見る母親あるいは人は赤子あるいは幼児を眠らせようとしてしばしば乳母車を前後に手で動かす。これは、単純な前後の運動により望ましい結果が十分得られないこともしばしばであるため、面倒であるのは明らかで必ずしも効果的な作業ではない。
【０００３】
数多くの機械あるいは電気機械装置が乳母車、べビーカーあるいはベビーベッドの運動を与えるために提案されてきた。いくつかの既知の装置は、乳母車あるいはベビーカーに連結されるとともに前後に往復運動するアーム部を有することによって、上記に言及された乳母車あるいはベビーカーに加えられる手動の運動を単純に再生するものである。これらの装置には乳母車あるいはベビーカーにこれらが分け与える運動は前後運動の単純な繰り返しであるという上記で言及された不利な点がある。その他の装置には、乳母車、ベビーカーあるいはベビーベッド全体が乳母車、ベビーカーあるいはベビーベッドの運動を与える動力装置によって動かされて支持される基盤がある。
【０００４】
これら両形態の装置とも、乳母車、ベビーカーあるいはベビーベッドに分け与えられる運動の性質のため特に有効であるわけではないことが明らかになっている。さらにこれらの装置は、通常、大がかりで利用が困難でありおよび／または比較的費用がかかる。
【発明の開示】
【０００５】
本発明は単純な構造であると同時に囲われた幼児あるいは赤子の眠りを誘うのに特に効果的である幼児囲いの運動あるいは揺動用の装置を提供することを狙ったものである。本発明のその他の目的および利点は以下の説明から明らかになろう。
【０００６】
本発明はこのように、囲いが普通に基盤面に支持される脚を有するタイプの幼児囲いの運動あるいは揺動装置が好ましい形態で提供され、前記装置には各前記脚と合うように連結される複数の支持手段が含まれ、前記支持手段の少なくとも１つには前記囲いの運動伝達手段ならびに前記伝達手段の作動選択手段が含まれるかあるいはこれに連結される。
【０００７】
支持手段は脚と基盤面との間に挿入可能であるかあるいは脚に組込み可能である。
【０００８】
本明細書全体を通じて使用される用語「幼児囲い」には通常それぞれの脚によって定められる少なくとも３点の支持を有する乳母車、ベビーカーあるいはその他の移動式の赤子あるいは幼児乗物が含まれる。最も一般的な乳母車、ベビーカーあるいはその他の移動式の乗物は、３点あるいは４点の支持を定めるそれぞれの車輪で終わる少なくとも３本あるいは４本の脚を有する。用語「幼児囲い」には少なくとも２本の脚を有するベビーベッドあるいはベッドのような静止した囲いも含まれる。通常、ベビーベッドあるいはベッドには４点の支持を提供する４本の脚があるが、ベビーベッドあるいはベッドには例えば、囲いの対向する側面あるいは端部に沿って連続的な支持を提供する２本の脚しかない場合もある。用語「囲い」には、さらに通常少なくとも３点の支持、例えば３本以上の脚を有するべビーベッド、ベッド、幌付き揺りかごあるいは同様なものが含まれる。
【０００９】
本明細書を通じて使用される用語「脚」には囲いが基盤支持面上に支持可能である任意の形態の支持体が含まれると同時に、車輪、ローラーあるいはキャスターが設置された脚が含まれる。
【００１０】
囲いに伝達される運動は適当な振動あるいは往復運動である。振動あるいは往復運動には鉛直あるいはほぼ鉛直な運動が含まれるのが好ましい。しかしながら、運動が水平面の成分を含むことも考えられる。振動あるいは往復運動には一定運動あるいは変動運動が含まれる場合がある。振動あるいは往復運動は一定振幅あるいは変動振幅の運動である。振動あるいは往復運動は固定速度あるいは変動速度の運動である場合がある。
【００１１】
好ましい形態では、１つ以上の支持手段に能動支持手段が含まれると同時に運動伝達手段が含まれるかあるいはこれと連結される。その他の支持手段には、前記運動伝達手段によって伝達される囲いの運動継続促進手段の含まれた受動支持手段が含まれるのが適当である。囲いの運動継続促進手段には、１つ以上の別の支持手段と連結されるバネ、あるいはその他の弾力性あるいは弾性のある手段が含まれる場合がある。このように、弾力性支持手段はバネ、パッド、あるいはゴムあるいはプラスチック、あるいは同様な特性をもつその他の手段といった弾力的に変形可能な材料のパッドによって定義可能であるか、あるいはこれらが含まれ得る。
【００１２】
囲いの運動を誘発するための能動支持手段の運動伝達手段には作動装置が含まれる。該作動装置には作動時に能動支持手段に振動を誘発する起振器が含まれる場合がある。しかしながら、作動装置には作動時に鉛直あるいはほぼ鉛直の往復または振動運動を囲いの脚に伝達する部材が含まれるのが好ましい。運動分伝達手段の作動選択手段にはその必要な作動を可能にする作動装置の制御手段が含まれるのが適切である。該作動装置は機械的あるいは電気的作動装置であり得る。作動装置が電気作動装置である場合には、作動装置用の電力供給は能動支持手段と一本化され得る。電力供給には通常は電池が含まれる。もしくは作動装置用電力は能動支持手段に接続される主電源のような遠く離れた電力源からもたらされる場合もある。
【００１３】
別の形態では、運動伝達手段と一体化した能動支持手段が1本以上の脚に運動を伝達する1本以上の脚と連結されても良い。少なくとも1本の脚の能動支持手段によって伝達される運動はその他の脚の能動支持手段によって伝達される運動とは異なっても良い。能動支持手段の１つによって伝達される運動はその他の能動支持手段によって伝達される運動と異なって良い。運動の差には運動の振動数の差、あるいは範囲あるいは運動振幅の差が含まれ得る。能動支持手段の１つによって伝達される運動はその他の能動支持手段によって伝達される運動と同じ位相、あるいは該運動とは異なった位相であってもよい。能動支持手段は囲いのすべての脚と連結されても良い。
【００１４】
装置に１つより多い能動支持手段が含まれる場合、各能動支持手段の作動装置はその他の能動支持手段の作動装置と独立して作動可能であり得る。各能動支持手段の作動装置によって伝達された運動もまた各その他能動支持手段の作動装置によって伝達される運動とは異なるのが好ましい。
【００１５】
各能動支持手段に自制装置が含まれることが考えられる。もしくは各能動支持手段が共通制御装置の制御器に連結されてもよい。
【００１６】
制御装置は振幅あるいは運動あるいは各能動支持手段の作動装置の運転速度を選択して制御し得る。
【００１７】
能動支持手段の２台以上の作動装置が囲いの特定運動を伝達するために作動し得る。例えば、囲いの片側にある能動支持手段の作動装置は同位相で作動可能であり得ると同時に、囲いの反対側にある能動支持手段の作動装置もまた同位相で作動可能であるが、囲いの揺動運動を横から横に伝達する囲いの片側にある作動装置とは位相が合っていない。代案として、囲いの向かい合う端部の能動支持手段の作動装置が囲いの端部と端部の揺動運動を伝達する類似の方法で作動される場合もある。
【００１８】
能動支持手段の作動装置には往復運動かあるいは振動運動が選択可能な作動装置部材が含まれるのが適当である。作動装置部材は、該支持手段と連結される囲いの脚の少なくとも鉛直往復運動あるいは振動を誘発するよう利用時にほぼ鉛直に向けられるのが適当である。作動装置にはソレノイド作動装置が含まれるとともに該作動装置部材に作動装置のソレノイドコイルが含まれるのが適当である。もしくは、作動装置部材には電機子あるいはソレノイド作動装置の電機子の延長部が含まれる。しかしながら、別の形態の作動装置が囲いの脚の運動を伝達するために設置可能である。例えば、作動装置部材には回転可能な部材が含まれる。回転可能部材に囲い脚の往復運動あるいは振動用のカムあるいはクランクが含まれる場合がある。さらに別の形態では、回転可能部材に回転時に脚に振動運動を伝達する偏芯おもりが含まれこともある。
【００１９】
受動および能動支持手段には囲いの各脚が支持される受動および能動モジュールが含まれるのが適当である。受動および能動支持モジュールには囲いの脚受け用の受け口あるいは乗せ台が含まれ得る。
【００２０】
脚が車輪あるいはローラーで終わる場合、受け口あるいは乗せ台は車輪あるいはローラーを受けるよう構成されるのが適当である。受け口あるいは乗せ台には窪んだ受け口が含まれ得る。脚、車輪あるいはローラーの受け口あるいは受け台への固定手段は能動的ながら解放可能に設置され得る。この手段には挟み金具あるいはひものような任意の締結手段が含まれるのが適当である。
【００２１】
各支持モジュールには、受け口あるいは受け台が弾力性のある運動で支持される適切な圧縮バネといったバネのような弾力性のある支持材が含まれるのが適切である。
【００２２】
各支持モジュールにはバネあるいはその他の弾力性のある支持体が収納される筺体が含まれるのが好ましい。バネはほぼ鉛直方向の弾力的運動向けに受け口と受け口あるいは受け台を支持する筺体の基盤部との間に延びるのが好ましい。
【００２３】
能動支持手段の作動装置はその作動が振動あるいは往復運動を受け口に伝達する受け口あるいは受け台に取付けられても良い。
【００２４】
作動装置がソレノイド作動装置である場合には、１本の作動装置の部材が受け口に接続される場合がある。該部材はソレノイド作動装置の作動時にその運動が受け口の対応する運動を引き起こすよう、受け口に直接接合され得る。あるいは、ソレノイド作動装置はその作動により弾力的支持体に逆らう受け口の運動が引き起こされるように受け口により支持されてもよい。
【００２５】
ソレノイド部材には電機子とコイルが含まれるのが好ましい。ソレノイドの電機子は受け口に固定して接合されるのが好ましいと同時に、ほぼ鉛直に向けられるのが適当である。こうして電流がコイルに流れる時、コイルは電機子と関連して移動する。コイルは電機子に沿ってほぼ鉛直に移動するのが好ましい。
【００２６】
電流がコイルから除かれる時、コイルは重力の影響を受けて下がるのが妥当である。コイルの勢いにより弾力的支持体の部分的圧縮が引き起こされるのが好ましい。コイルは重みで押下げられるのが最も好ましい。コイルの運動の衝撃緩和手段が設置される場合がある。この手段はコイルと電機子との間に接合可能な１本以上のバネが含むことが考えられる。
【００２７】
能動モジュールには、ソレノイドコイルへの電流供給を制御する制御手段が含まれるのが適切である。電流供給はパルス電流供給のように瞬間的な供給であることが好ましい。制御手段にはまた電流がソレノイドコイルに供給される時間の選択手段も含まれるのが適切である。制御手段にはまたパルス電流がソレノイドコイルに供給される速度の選択手段も含まれる。遠隔制御ユニットが能動モジュールの遠隔制御用の制御手段と連結される場合もある。
【発明を実施するための最良の形態】
【００２８】
本発明がより分かりやすく理解できると同時に実施されるように、次に本発明の好ましい実施例が例示される図面を伴った参照がなされる。
【００２９】
図を参照すると、まず図１に図示される実施例のベビーベッド、乳母車あるいはベビーカーに使用される揺動装置１０が示されており、従来通り各隅に４本の脚１２のあるベビーベッド１１には床面のような基盤面１３上にベビーベッド１１向けの４点の支持体が普通に設置される。揺動装置１０には４脚の支持モジュールが含まれ、この実施例では２種の異なる構成の支持モジュール１４および１５が含まれる。図示された実施例では、揺動装置１０には受動支持モジュールと能動支持モジュールが含まれる支持モジュール１５が含まれる３点支持モジュール１４が含まれる。モジュール１４および１５は各脚１２の下方に位置してベビーベッド１１の脚１２は支持モジュール１４または１５によって床面１３に支持される。
【００３０】
図２および図５に示される各支持モジュール１４には、基盤支持面１３上に安定して座ることが可能な基盤部１８を形成し、その下端で閉じる脚１２の下端を受けるその上端の１７で開いた中空の外側筺体１６が含まれる。脚１２の下端が位置する受け口２０を定める中空のカップ状部材１９が筺体１６内部に位置する。受け口２０は車輪付きあるいは無しの様々な構成の脚１２あるいは脚１２の足を受けるよう幅広く構成される。この目的の受け口１９は中空で凹んだ形状である。
【００３１】
この形状により、また、ベビーベッド、乳母車、あるいはベビーカーの車輪２１（点線で輪郭が示される）は各支持モジュール１４（あるいは１５）の受け口に確実に位置され得る。
【００３２】
中空のカップ状部材１９は筺体１６の基盤部１８に座る圧縮バネ２２に支持されるとともに、部材１９の下側にある中空差し込み口内部まで広がって、モジュール１４に支持されるベビーベッド１１の脚１２向けにバネの取付けが行われる。弾性あるいは衝撃緩和材料のボール２３が部材１９の過度な運動の衝撃を緩和すると同時に「底抜け」を防止するバネ２２の内部に設けられる。
【００３３】
あるいは、弾性緩衝手段は、例えば、基盤１８上にあってバネ２２を取り囲む環状リングとしてバネ２２の外側に設けられる場合もある。
【００３４】
図３、図４および図６によりはっきりと示される能動支持モジュール１５はモジュール１４と類似の形状であるとともに、外側筺体２４ならびに、筺体２４とともに位置しかつ圧縮バネ２７上に支持される部材１９と類似の中空のカップ形状をした部材２６とともに表面１３上に座ることが可能な基盤部２５を有する。この場合には、しかしながら、モジュール１５には筺体２６内部にソレノイドコイル２９およびソレノイド作動装置２８が筺体２４の延長部３１に位置する電機子３０を有するソレノイド作動装置２８が含まれる。作動装置２８は基盤部２５が表面１３に座る時にその電機子３０がほぼ鉛直であるように方向が向けられる。筺体１６の場合のように、筺体２４はベビーベッドあるいはその他の囲いの脚を受ける上端３２で開放されている。
【００３５】
作動装置２８の電機子３０はその上端で横方向に伸びる部材２６のアーム３３に固定して接合され、作動装置２８はアーム３３から吊り下がる。ソレノイドコイル２９はまた引張りバネ３４によってアーム３３に支持される。アーム３３は部材２６と一体的に形成されるかあるいは部材２６にネジ山が切られるといったようにして部材２６に固定される別の部材が含まれる場合がある。ソレノイドコイル２９はまた作動装置２８の運転時にコイル２９の勢いを増すためのコイル２９を取り囲む通常は５００グラムの外側おもり３５によって下に沈む。
【００３６】
モジュール１５にはさらにソレノイド作動装置２８の運転制御用の電気制御インターフェース盤３６が含まれる。インターフェース盤３６には赤外線遠隔制御装置３８（図３参照）の信号受信用の感知器３７が含まれる。インターフェース盤３６には作動装置２８への電流供給ならびにコイル２９の往復速度を制御する作動装置２８に接続されるとともに電機子３０に関連するおもり３５が取付けられる制御回路が含まれる。インターフェース３６内部の制御回路にもまた電流が作動装置２８に供給される時間を制御する計時回路が含まれる。インターフェース盤３６上の２組のスイッチ３９および４０により、利用者はソレノイド２８のゆっくりモードあるいは駆け足モードの運転ならびにソレノイド作動装置２８の運転時間ならびに能動モジュールの作動継続時間の選択が可能となる。相応する組のスイッチ４１および４２はソレノイド作動装置２８の運転モードの遠隔選択を可能にする遠隔制御ユニット３８上に設置される。スイッチ３９および４０はまた液晶あるいは光発光ダイオード配列によるといった選択運転モードの表示も可能である。表示装置にはさらに能動モジュールの作動継続時間表示を提供する移動表示装置が含まれることもある。
【００３７】
駆け足モードの運転ではソレノイド作動装置２８は通常毎秒４回作動する一方、ゆっくりモードではソレノイド作動装置２８は３〜４秒毎に1回作動する。各コースのこれらの時間は変動させることが可能である。モードの選択後、能動モジュール１５は装置３８上の押しボタンスイッチ４３で作動可能である。インターフェース盤３６およびその制御回路はケーブル４４を通じて電力パックの差し込みのような外部の電力供給元やオンオフスイッチ４５に接続可能である。モジュール１５にはさらに制御回路を通じるとともに遠隔制御装置３８上のスイッチ４７によって作動可能な夜間照明４６が含まれる。代替案として、モジュール１５用の電源はモジュール１５に内蔵される電池によっても準備が可能である。
【００３８】
コイル２９のエネルギーによるソレノイド作動装置２８の作動はこれをほぼ鉛直に上方に移動させるコイル２９の磁場によって生み出される一方、コイル２９のエネルギーを無くすことによりコイル２９は重力の影響で下方に落下して元の中立な位置に戻る。バネ３４によりコイル２９と付属のおもり３５の落下運動が緩和されてコイル２９は停止位置に落ち着くまで上下に脈動する。コイル２９とおもり３５の最初の落下運動によりバネ２７は圧縮されるようになるとともに、バネ２７はその後その非作動位置の方に移動して元に戻る。この運動はこうしてベビーベッド１１の脚１２に伝達される。作動装置２８への瞬間的なあるいはパルス化された電流供給の繰り返しにより繰り返されるコイル２９の運動により、部材２６に支持される脚１２を通じてベビーベッド１１に伝達されるほぼ鉛直方向のバネ２７の振動運動が生ずる。
【００３９】
図１の実施例のベビーベッド１１には各受動モジュール１４に支持される３本の脚１２と同時に能動モジュール１５に支持される４本の脚がある。このように、電流が遠隔制御装置３８（あるいはモジュール１５から直接）の制御のもとで作動装置コイル２９に供給される時には、コイル２９と電機子３０と関連するおもり３５の運動により、瞬間的な下方の力がバネ２７およびベビーベッド１１の一脚１２に加わる。バネ２２が設けられる受動モジュール１４上のその他の３本の脚１２のバネ取付けのために、脚１２に加わる瞬間的な鉛直力によりベビーベッド１１の振動あるいは揺動運動が誘導されると同時に、モジュール１４のバネ２２によりベビーベッド１１の往復運動あるいは振動運動の継続が促進される。このように、バネ２７が圧縮されるにつれてモジュール１５によって支えられる脚１２が下がる時、対角線上に対向する脚１１が上方に持ち上がる。その他のモジュール１４のバネ２２はこの運動の間にも圧縮されると同時に、これにより自動車の運動に類似した囲い１１全体に波状の揺動運動が引き起こされる。各モジュール１４および１５のバネの効き目によりベビーベッド１１のための独立した４点の懸架状態が形成される。
【００４０】
さらに電流パルスが作動装置２８に供給されない限り、ベビーベッド１１の振幅運動は減少しゼロまで戻る一方、パルス電流の継続供給によりベビーベッド１１の運動が選択された希望の速度で継続される。このように、インターフェース３６の制御回路の制御のもとにあるソレノイド作動装置２８はベビーベッド１１の振動あるいは揺動運動を維持する一定の間隔で作動可能である。
【００４１】
ベビーベッド１１に生ずるこの運動によりベビーベッド１１内の赤子あるいは幼児の眠りが誘われる。選択スイッチ３９および４０あるいは４１および４２の操作によって決められる予め決められた時間の後、制御回路によりソレノイド作動装置２８への電流供給が止まる。
【００４２】
図７では本発明の揺動装置で使用される代案の受動支持モジュール４８が図示され、モジュール４８には基盤面上で座りが安定し得る基盤５０を有する中空の筺体４９が含まれる。差し込み口５１はほぼ鉛直な軸棒５２に取付けられるかあるいは筺体４９に伸びる軸棒５２と一体に形成される。上下の誘導具５３および５４により、鉛直往復運動あるいは振動運動における軸棒５２が誘導される。軸棒５２にはまた放射状に広がるフランジ５５が含まれるとともにフランジ５５と筺体４９の基盤５０部間に圧縮バネ５６が位置してモジュール４８に支持されるベビーベッド１１の脚１２向けのバネ取付けが提供される。
【００４３】
図８の能動モジュール５７は外側筺体５８ならびに基盤部５９を含むモジュール４８に類似した外側構成を有する。しかしながら、この場合、モジュール５７には筺体５８内部にソレノイドコイル６１および電機子６２を有するソレノイド作動装置６０が含まれると同時に、差し込み口６３（差し込み口５１と類似）はその運動に関連する電機子６２に取付けられるかあるいはこれと一体に形成される。作動装置６０は基盤部５９が水平面に座る時にその電機子６２がほぼ鉛直であるように向けられる。
【００４４】
コイル６１のエネルギーによるソレノイド作動装置６０の作動により電機子６２がほぼ鉛直上方に移動するよう磁気力が加えられる。電機子６２と基盤部５９との間の戻りバネ６４により電機子６２の運動が抑制されると同時に、コイル６１はエネルギーが無くなった後に電機子６２がその伸びた位置（点線で輪郭を表示）から戻るよう設けられる場合もある。
【００４５】
制御ユニット６４もまた筺体５８内部に設けられて、これによりモジュール５７が接続される電力供給からあるいは筺体５８内部の電池からのソレノイドコイル６１への電流供給が制御される。筺体５８にはまたモジュール５７の運転開始用の制御装置６４に接続される制御つまみあるいはスイッチ６５が含まれる。
【００４６】
図１の実施例の場合のように、ベビーベッドの脚１２の1本がモジュール５７に支持されると同時に残りの３本の脚はモジュール４８に支持される場合がある。このように、電流がつまみあるいはスイッチ６５および制御装置６４の制御のもとでコイル６１に供給される場合には、電機子６２により図８の点線の輪郭で示されるように差し込み口６３が持ち上がると同時に、瞬間的な鉛直力がベビーベッド１１の1本の脚１２に加えられる。バネ５６によって提供される支持モジュール４８上のその他の３本の脚１２のバネ取付けにより、ある脚１２に加えられる瞬間的な鉛直力によりベビーベッド１１に振動あるいは揺動運動が誘発されると同時に、バネ５６によりベビーベッド１１の往復あるいは振動運動の継続が促進される。ソレノイド作動装置６０は、ベビーベッド１１の振動あるいは揺動運動を維持する制御装置６４の制御のもとに一定間隔で作動される。
【００４７】
ソレノイド作動装置６０の運転速度はモジュール５７の筺体５８上の制御つまみあるいはスイッチ６５によって選択可能であり、これによりベビーベッド１１の最適な往復運動あるいは振動運動が可能となる。
【００４８】
さて図９を参照すると、図８のモジュール５７に類似すると同時に図８のモジュールの同じ部品には同じ番号が振られた代替案の能動モジュール６６が図示されている。この事例では、差し込み口６３の振動運動はカム６８に連結された筺体５８内部のモーター６７によって生み出される。差し込み口６９の下端はカム６８上に据えられて、モーター６７によりカム６８が回転するよう運転される場合には差し込み口のアーム６９と差し込み口６８とが鉛直に反対方向に動く。差し込み口６３の下方運動が促進されるように、バネ（図示されず）が差し込み口６３とアーム６９にバイアスがかかるよう設置される場合もある。
【００４９】
次に、図１０を参照すると、ベビーベッド１１に関連して改めて示される本発明による揺動装置７０の代替え実施例が図示されている。しかしながら、この事例では、ベビーベッド１１の脚１２は図３および図６（あるいは、図８あるいは図９に示される交互能動支持モジュール）に示されたすべてのタイプのそれぞれ各能動支持モジュール１５上に支持されている。さらにモジュール１５は適切な接続ケーブル７１によって共通制御装置７２に接続される。制御装置７２には1台以上のモジュール１５のソレノイド２８の作動が引き起こされるためにモジュール１５の接続用に電力供給が含まれる場合もある。電力供給には例えば電池が含まれ得る。
【００５０】
あるいは、制御装置７２は主電源のような外部電力供給に接続可能である場合もある。
【００５１】
制御装置７２には、各支持モジュール１５の各ソレノイド作動装置２８への電力供給元からの電流効果を制御するプログラマブルマイクロプロセッサが含まれる。各作動装置２８は従って他の作動装置２８から独立して作動可能である。さらに、マイクロプロセッサにより各作動装置２８の動作距離および速度あるいは電機子３０の運動の制御が可能であり、各電機子３０は作動時に異なる動作距離をもつことができる。制御装置７２のマイクロプロセッサによってもまた各作動装置２８の運転位相の制御が可能である。
【００５２】
使用中であって、かつベビーベッド１１が図１０のように支持モジュール１５に支持されていると同時に、ベビーベッド１１の中に赤子あるいは幼児が置かれている時は、１つ以上の外部スイッチ７３の操作を通じた制御装置７２により選定されるモジュールのソレノイドコイル２９に電流供給が可能となる。電流はベビーベッド１１の各隅にある脚１２を通じてベビーベッド１１の鉛直往復運動を伝達するコイル２９に瞬間的に供給される。
【００５３】
各隅で伝達される運動は異なる動作距離、および／または、相互に異なる位相のどちらかで作動する電機子２９を持つことによって、他の残りの隅で伝達される運動と異なることが考えられる。
【００５４】
このようにベビーベッド１１で伝達される運動は、例えば自動車の運動に類似した不規則な揺動運動である。この運動がベビーベッド１１内部の赤子あるいは幼児の眠りを誘うのに特に効果的であることが判明した。
【００５５】
制御装置７２にはまた制御装置７２上のスイッチ７３によって変動可能な予め決められた時間後にソレノイド作動装置２９への電力供給のスイッチを切るタイマーが含まれる。さらに、制御装置７２にはまたＣＤプレイヤー７４、あるいはテーププレイヤー、あるいは音楽録音、あるいはその他のサウンドが記録されるソリッドステートメモリデバイスが組込まれる場合もある。この装置、あるいはプレイヤーは制御装置７２の作動時に作動可能であり、支持モジュール１５の作動と同時に心地よい音楽が流れる。
【００５６】
制御装置７２はベビーベッド１１に特定の運動をもたらすようプログラム可能である。
【００５７】
例えば、ベビーベッド１１の片側にある２つのモジュール１５が同時にかつ規則的に作動するとともに、ベビーベッド１１の反対側にある２つのモジュール１５もまた同時かつ規則的ながらベビーベッド１１の片側にあるモジュール１５の作動とは異なる位相で作動することが可能である。これにはベビーベッド１１の横対横の揺動運動が含まれる。同様に、モジュール１５によりベビーベッド１１の端部と端部の揺動運動が誘発されるようにも作動可能である。
【００５８】
上述の装置は特に幼児あるいは赤子のベッドの場合の利用に相応しく、また選択される支持モジュールあるいは各車輪下に位置する能動および／または受動モジュールの組み合せを伴った乳母車あるいはベビーカーの場合に言及されているようにも利用可能である。通常、この場合には装置は運搬可能であることが好ましく、従って各能動モジュールには装置が主電力の入手不可能な場所でも使用可能となる電池といった自力の電源供給が含まれる。
【００５９】
さらに、全体装置の作動装置はソレノイド作動装置として説明される一方で、これらには別の形態の電気作動装置が含まれることがある。いくつかの実施例では、ばねじかけの作動装置のような機械的作動装置が採用されることも可能である。
【００６０】
上述の揺動装置の実施例では、能動かつ受動の支持モジュールはベビーベッド１１（あるいは支持される別の囲い）から分離されているように示される。いくつかの実施例では、能動および／または受動モジュールは囲いの脚への組込みが可能である。
【００６１】
本明細書、あるいは特許請求項を通じて使用される用語「含む」あるいは、「含まれる」は述べられた特色、言及される完全性および部品の存在を詳述するものであるが、１つ以上の別の特色、完全性、部品あるいはそのグループの存在あるいは追加を排除するものではないものと解釈される。
【００６２】
上記は本発明の例示的な実施例を通して与えられたものである一方、技術に熟練した者にとって明らかなすべての変型例、およびその変更は添付の特許請求項に定められる本発明の広範な範囲ならびに領域に入るものと見なされる。
【図面の簡単な説明】
【００６３】
【図１】ベビーベッドと連結された本発明の実施例による揺動装置の一形態が図示される。
【図２】図１の揺動装置の受動モジュールが図示される。
【図３】遠隔制御ユニットと連動した図１の揺動装置の能動モジュールが図示される。
【図４】図３の能動モジュールの背面図である。
【図５】図２の受動モジュールの拡大断面図である。
【図６】図３および図４の能動モジュールの拡大断面図である。
【図７】揺動装置の受動モジュールの代替形態の全体断面図である。
【図８】揺動装置の能動モジュールの代替形態の全体断面図である。
【図９】揺動装置の能動モジュールのもう一つの形態が図示される。
【図１０】ベビーベッドと連結した本発明の実施例によるもう一つの揺動装置が図示される。
【図１】
2007527751.tif 000003
【図２】
2007527751.tif 000004
【図３】
2007527751.tif 000005
【図４】
2007527751.tif 000006
【図５】
2007527751.tif 000007
【図６】
2007527751.tif 000008
【図７】
2007527751.tif 000009
【図８】
2007527751.tif 000010
【図９】
2007527751.tif 000011
【図１０】
2007527751.tif 000012
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
少なくともひとつの支持手段に囲いにほぼ鉛直な振動運動または往復運動を伝達するための運動伝達手段が含まれるか、あるいはこれと連結される各脚と連結される複数の支持手段、ならびに前記運動伝達手段の選択的作動手段が含まれる囲いが基盤面上に普通に支持される脚付きタイプ幼児囲い運動、あるいは揺動装置。
【請求項２】
前記振動あるいは往復運動に一定運動、あるいは変動運動が含まれることを特徴とする請求項１に記載の装置。
【請求項３】
１つ以上の前記支持手段に能動支持手段が含まれるとともに、運動伝達手段が含まれるか、あるいは運動伝達手段と連結されることを特徴とする請求項１に記載の装置。
【請求項４】
その他残りの前記支持手段に受動支持手段が含まれるとともに、囲いに運動継続促進手段が含まれることを特徴とする請求項３に記載の装置。
【請求項５】
囲いの前記運動継続促進手段に弾力性、あるいは伸縮自在性手段が含まれることを特徴とする請求項４に記載の装置。
【請求項６】
前記弾力性手段にバネが含まれることを特徴とする請求項５に記載の装置。
【請求項７】
前記運動伝達手段に作動装置が含まれることを特徴とする請求項１から請求項６までのいずれかの請求項に記載の装置。
【請求項８】
前記作動装置に振動作動装置が含まれることを特徴とする請求項７に記載の装置。
【請求項９】
前記作動装置に、作動時に少なくとも１つの支持手段が連結される囲いの脚に鉛直、あるいはほぼ鉛直の往復運動、あるいは振動運動を伝達する部材が含まれることを特徴とする請求項７あるいは請求項８に記載の装置。
【請求項１０】
前記作動装置に往復運動、あるいは振動運動かを選択できる作動装置部材が含まれることを特徴とする請求項７から請求項９までのいずれかの請求項に記載の装置。
【請求項１１】
前記作動装置部材が、使用時に少なくとも１つの支持手段と連結した囲い脚に少なくとも１回の鉛直往復運動、あるいは振動運動を誘発するようにほぼ鉛直方向に向けられることを特徴とする請求項１０に記載の装置。
【請求項１２】
前記作動装置にソレノイド作動装置が含まれると同時に前記作動部材に作動装置、あるいは電機子、あるいは作動装置の電機子延長部からなるソレノイドコイルが含まれることを特徴とする請求項１０あるいは請求項１１に記載の装置。
【請求項１３】
前記作動装置に回転可能な作動器部材が含まれることを特徴とする請求項７から請求項９までのいずれかの請求項に記載の装置。
【請求項１４】
前記支持手段に囲いの各脚を支持する支持モジュールが含まれることを特徴とする請求項４に記載の装置。
【請求項１５】
前記支持モジュールに囲いの脚を受けるための受け口、あるいは受け台が含まれることを特徴とする請求項１４に記載の装置。
【請求項１６】
前記受け口、あるいは受け台が弾性運動向けの弾性手段によって支持されることを特徴とする請求項１５に記載の装置。
【請求項１７】
前記弾性手段に圧縮バネが含まれることを特徴とする請求項１６に記載の装置。
【請求項１８】
前記支持モジュールに前記バネを収納する筺体が含まれることを特徴とする請求項１７に記載の装置。
【請求項１９】
少なくとも１つの支持モジュールに能動支持モジュールが含まれると同時に、前記運動伝達手段に特定、あるいはそれぞれの前記能動支持モジュールの前記受け口、あるいは受け台にのる作動装置が含まれることを特徴とする請求項１５から請求項１８までのいずれかの請求項に記載の装置。
【請求項２０】
前記作動装置に、第一および第二の部材を有し前記第一の部材が前記第二の部材に対して移動可能なソレノイド作動装置が含まれるとともに、該作動装置の部材の一つが受け口に接合されることを特徴とする請求項１９に記載の装置。
【請求項２１】
ソレノイド作動装置の運動による作動時に、対応する受け台の運動が起動されるよう前記部材の一つが直接受け台に接合されることを特徴とする請求項２０に記載の装置。
【請求項２２】
前記ソレノイド作動装置が受け口によって支持されることを特徴とする請求項２０に記載の装置。
【請求項２３】
前記ソレノイド部材に電機子とコイルが含まれることを特徴とする請求項２２に記載の装置。
【請求項２４】
ソレノイドの電機子が受け台に固定して接合されると同時に、ほぼ鉛直に向けられて前記コイルに加えられる電流により前記コイルが電機子にそってほぼ鉛直に運動することを特徴とする請求項２３に記載の装置。
【請求項２５】
前記コイルが押下げられることを特徴とする請求項２４に記載の装置。
【請求項２６】
請求項２４あるいは請求項２５に記載されると同時に、コイルの衝撃緩和効果用のバネが含まれることを特徴とする装置。
【請求項２７】
前記能動モジュールにソレノイドコイルの電流供給を制御する制御手段が含まれることを特徴とする請求項２３から請求項２６までのいずれかの請求項に記載の装置。
【手続補正２】
【補正対象書類名】明細書
【補正対象項目名】０００６
【補正方法】変更
【補正の内容】
【０００６】
本発明はこのように、囲いが普通に基盤面に支持される脚を有するタイプの幼児囲いの運動あるいは揺動装置が好ましい形態で提供され、前記装置には各前記脚と合うように連結される複数の支持手段が含まれ、前記支持手段の少なくとも１つには前記囲いへのほぼ鉛直な振動運動または往復運動を伝達するための運動伝達手段、ならびに前記伝達手段の作動選択手段が含まれるかあるいはこれに連結される。
【手続補正３】
【補正対象書類名】明細書
【補正対象項目名】００１０
【補正方法】変更
【補正の内容】
【００１０】
主には鉛直またはほぼ鉛直な運動だが、運動が水平面の成分を含むことも考えられる。振動あるいは往復運動には一定運動あるいは変動運動が含まれる場合がある。振動あるいは往復運動は一定振幅あるいは変動振幅の運動である。振動あるいは往復運動は固定速度あるいは変動速度の運動である場合がある。
【手続補正４】
【補正対象書類名】明細書
【補正対象項目名】００２４
【補正方法】変更
【補正の内容】
【００２４】
作動装置が、第二の部材に対して移動可能な第一の部材を有するソレノイド作動装置である場合には、作動装置の部材の一つが受け口に接続される場合がある。該部材はソレノイド作動装置の作動時にその運動が受け口の対応する運動を引き起こすよう、受け口に直接接合され得る。あるいは、ソレノイド作動装置はその作動により弾力的支持体に逆らう受け口の運動が引き起こされるように受け口により支持されてもよい。
【国際調査報告】
2007527751.tif 000013
2007527751.tif 000014
2007527751.tif 000015